【事件の表示】
　特願２００１−３６７８６４「データ表示装置及び表示制御方法」拒絶査定不服審判事件〔平成１５年　６月１３日出願公開、特開２００３−１６７５７１〕について、次のとおり審決する。
【結　論】
　本件審判の請求は、成り立たない。
【理　由】
１　手続の経緯
　本件は、平成１３年１１月３０日の出願であって、平成１７年１０月２８日付け（発送日：同年１１月１日）で拒絶査定がなされ、これに対し平成１７年１２月１日に拒絶査定に対する審判請求がなされるとともに、同年同月２１日付けで明細書を補正対象とする手続補正（以下、「本件補正」という。）がなされたものである。
　
２　本件補正についての補正却下の決定
［補正却下の決定の結論］
　本件補正を却下する。
［理由］
　本件補正は、特許請求の範囲の請求項１を補正前の
「【請求項１】　背景画像データと検索対象となる複数のデータを記憶した記憶手段と、
　上記記憶手段が記憶した複数のデータを検索キーワードによって検索する検索手段と、
　上記検索キーワードによって検索したデータを上記背景画像データに重畳し、この背景画像画面に検索したデータの一覧表示画面を重畳した重畳表示画面を表示する表示手段と、
　上記重畳表示画面において、上記一覧表示画面の個々のデータと重畳した箇所の上記背景画像部分の透過率を上記一覧表示画面の個々のデータに応じて制御する透過率制御手段とを備えるデータ表示装置。」
　から、補正後の
「【請求項１】　背景画像データと検索対象となる複数のデータを記憶する記憶手段と、
　上記記憶手段に記憶された上記複数のデータを検索キーワードによって検索する検索手段と、
　上記検索キーワードによって検索された上記複数のデータを一覧表示画面として表示する第１の表示手段と、上記背景画像データを背景画像として表示する第２の表示手段とを有し、上記第１の表示手段に表示された上記複数のデータと上記第２の表示手段に表示された上記背景画像とを重畳して重畳表示画面として表示する表示手段と、
　上記表示手段に表示された上記重畳表示画面において、上記第１の表示手段に表示された上記複数のデータの上記一覧表示画面と重複されて表示された部分について上記第２の表示手段に表示された上記背景画像の透過率を変更するように制御する透過率制御手段とを備えるデータ表示装置。」
　に補正する補正事項を含むものである。
　
　この補正により、請求項１に記載した発明を特定するために必要な事項である、「背景画像部分の透過率を上記一覧表示画面の個々のデータに応じて制御する」との事項が削除されていることから、この補正は、平成１８年改正前特許法第１７条の２第４項第１号の請求項の削除、第２号の特許請求の範囲の減縮、第３号の誤記の訂正、第４号の明りょうでない記載の釈明、のいずれを目的とする補正ともいえない。
　したがって、本件補正は、平成１８年改正前特許法第１７条の２第４項の規定に違反するものであるから、特許法第１５９条第１項で読み替えて準用する特許法第５３条第１項の規定により却下されるべきものである。
　
３　本願発明
　平成１７年１２月２１日付けの手続補正は上記のとおり却下されたので、本願の請求項５に係る発明は、平成１７年７月１１日付け手続補正書により補正された特許請求の範囲の請求項５の記載からみて、次のとおりである。
「【請求項５】　記憶手段に記憶されている検索対象となる複数のデータを検索キーワードによって検索する検索ステップと、
　上記検索キーワードによって検索したデータを背景画像データに重畳し、この背景画像画面に検索したデータの一覧表示画面を重畳した重畳表示画面を表示手段に表示する表示ステップと、
　上記重畳表示画面において、上記一覧表示画面の個々のデータと重畳した箇所の上記背景画像部分の透過率を上記一覧表示画面の個々のデータに応じて制御する透過率制御ステップとを有する表示制御方法。」（以下、「本願発明」という。）
　なお、以下の２点は誤記といえるので上記のように請求項５に係る発明を認定した。
　請求項５の第３行〜第４行に記載された「上記記憶手段に記憶されている検索対象となる複数のデータを検索キーワードによって検索する検索ステップ」は、同第１行〜第２行に記載された「記憶手段に記憶されている検索対象となる複数のデータを検索キーワードによって検索する検索ステップ」と実質的に同一であり、誤って重複して記載されたといえる。
　また、「上記背景画像データ」（同第５行目）の前に「背景画像データ」が記載されていないので、「上記」は誤記といえる。
　
４　刊行物に記載された発明
　原査定の拒絶の理由で引用され、本願出願前に頒布された刊行物である特開平１１−１１９９７０号公報（以下、「刊行物１」という。）には、図面とともに次の事項が記載されている。
（１）「【０００１】
【発明の属する技術分野】本発明は、例えばインターネットのようなネットワークに投稿されている記事を参照する際の記事の検索を支援するパーソナルコンピュータ（以下、パソコンという）のような記事検索支援装置、及び記事検索支援装置での読み取りが可能な記録媒体に関する。
【０００２】
【従来の技術】インターネット、パソコン通信等のネットワークに接続されたパソコンから記事を参照し、または投稿して、多数の人たちと意見を交換するコミュニケーション・システムが普及している。このようなコミュニケーション・システムでは、参加者が増えて記事の数が増大すると、参照したい記事の検索が困難になる。
【０００３】そこで、記事を識別するためのアイコン、記事の内容又は記事に添付された画像の縮小画像等の記事の識別情報を画面に一覧表示して記事の検索を支援する機能を備えた装置が提案されている。」
　
（２）「【０００６】本発明はこのような問題点を解決するためになされたものであって、記事の識別情報の画像を、記事の古さ、記事の評判等の記事の属性情報に応じて、透過率、縮小率等を変えて表示することにより、検索対象とすべき記事の識別情報の数を絞り込むことがきるパソコンのような記事検索支援装置、及び記事検索支援装置での読み取りが可能な記録媒体の提供を目的とする。」
　
（３）「【００３２】〔実施の形態２〕図４は、本発明の記事検索支援装置としてのパソコンの実施の形態２のブロック図である。なお、実施の形態１と同一、又は相当部分には同一符号を付して、その説明を一部省略する。本例では、図３のように記事の識別情報（図３では縮小画像）を表示する場合、古い記事の識別情報を新しいものに比べて透けた状態で表示する。
【００３３】そのため、本例は現在時刻を表示加工部40に与える時計60を備え、加工情報格納部30は、縮小画像生成部401 に与える縮小率又はサイズを格納するとともに、経過時間に応じた透過率をテーブルに格納し（図５参照）、情報属性格納部20は記事の投稿日を情報属性テーブルに格納している。さらに、表示加工部40は、時計60から与えられる現在時刻と、情報属性テーブルから獲得した記事の投稿日とから、記事が投稿されてから現在までの経過時間を算出する経過時間算出部402 と、縮小画像生成部401 が生成した縮小画像を元に、加工情報格納部30のテーブルから獲得した経過時間に応じた透過率の縮小画像を生成する透過画像生成部403 とを備える。なお、縮小画像生成部401 は生成した縮小画像をメモリ（不図示）に格納し、その格納アドレスが情報属性格納部20のテーブルに登録される。
【００３４】透過画像演算部403 は、縮小画像生成部401 が生成した縮小画像の全てのピクセルに対して、以下の演算を行い、透過画像を生成する。
TP(x,y) = P(x,y)×(1- 透過率) ＋BP(x',y') ×透過率
ただし、P(x,y): 縮小画像の位置(x,y) におけるピクセル値
BP(x',y'):背景画像の座標(x',y')(位置(x,y) に対応する座標) におけるピクセル値
TP(x,y):生成される、位置(x,y) における透過ピクセル値
尚、透過率は０以上１以下とする
表示加工部40は、このようにして生成された透過画像を、表示位置の座標データとともに表示部50へ出力する。ただし、透過率が１の場合は、縮小画像は表示されないので、表示部50へ出力しない。
【００３５】図６は実施の形態２の変形例のブロック図である。なお、実施の形態２と同一、又は相当部分には同一符号を付してその説明を省略する。この変形例では、加工情報格納部30に透過率のテーブルを設けず、例えば「○○時間毎に○％透過率を増加する」といった、経過時間毎の透過率の増加分を格納している。
【００３６】表示加工部40では、透過率演算部404 が、加工情報格納部30から与えられた透過率の増加分に基づいて、経過時間算出部402 が算出した経過時間に応じた透過率を透過画像生成部403 に与える。透過画像生成部403 は前述と同様の演算を実行して経過時間に応じた透過率の透過画像を生成して、その表示位置の座標データとともに表示部50へ出力する。ただし、透過率が１の場合は、縮小画像は表示されないので、表示部50へ出力しない。」
　
（４）図面の図３には、背景上に検索された記事の一覧を重ねて表示してなる構成が見て取れる。
　
　上記摘記事項（１）における「本発明は、例えばインターネットのようなネットワークに投稿されている記事を参照する際の記事の検索を支援するパーソナルコンピュータ（以下、パソコンという）のような記事検索支援装置、及び記事検索支援装置での読み取りが可能な記録媒体に関する。・・・このようなコミュニケーション・システムでは、参加者が増えて記事の数が増大すると、参照したい記事の検索が困難になる。」との記載を、当該技術分野における技術常識を参酌して解釈するに、刊行物１には、インターネットのような膨大なデータベースに記憶されている記事から、何らかの手段により目的とする記事を検索し、検索した記事をパソコンの画面上に表示する技術が開示されていると認められる。
　
　したがって、上記摘記事項（１）乃至（３）及び図面の記載からみて、刊行物１には、以下の発明が記載されているものと認められる。
「インターネットのようなデータベースに記憶されている記事から、何らかの手段により目的とする記事を検索し、
　検索された記事を背景に重ねて表示し、この背景上に検索された記事の一覧を重ねた表示画面を表示部（５０）に表示し、
　上記一覧を重ねた表示画面において、上記一覧を重ねた表示画面の個々の記事と重ねた箇所の背景の透過率を上記一覧を重ねた表示画面の個々の記事の属性情報に応じて変えて表示する方法。」（以下、「刊行物１に記載された発明」という。）
　
５　対比
 　本願発明と刊行物１に記載された発明とを対比する。
（１）刊行物１記載された発明の「インターネットのようなデータベース」、「記憶されている記事」は、それぞれ本願発明の「記憶手段」、「検索対象となる複数のデータ」に相当するから、刊行物１記載された発明の「インターネットのようなデータベースに記憶されている記事から、何らかの手段により目的とする記事を検索し」と、本願発明の「記憶手段に記憶されている検索対象となる複数のデータを検索キーワードによって検索する検索ステップ」とは、記憶手段に記憶されている検索対象となる複数のデータを検索する検索ステップの点で一致する。
（２）表示装置の制御に関する技術常識から、刊行物1に記載された発明において、検索された記事を背景に重ねて表示出力する際には、表示加工部（４０）内で背景データと記事データとをビデオメモリ上において重ねたデータとした状態で記憶しておかなければならないことは、技術的に明白である。してみると、刊行物１に記載された発明の「検索された記事を背景に重ねて表示し、この背景上に検索された記事の一覧を重ねた表示画面を表示部（５０）に表示し」と、本願発明の「上記検索キーワードによって検索したデータを背景画像データに重畳し、背景画像画面に検索したデータの一覧表示画面を重畳した重畳表示画面を表示手段に表示する表示ステップ」とは、検索したデータを背景画像データに重畳し、背景画像画面に検索したデータの一覧表示画面を重畳した重畳表示画面を表示手段に表示する表示ステップの点で一致する。
（３）刊行物１に記載された発明の「一覧を重ねた表示画面において、上記一覧を重ねた表示画面の個々の記事と重ねた箇所の背景画像の透過率を上記一覧を重ねた表示画面の個々の記事の属性情報に応じて変えて表示する」、「表示する方法」は、それぞれ本願発明の「一覧表示画面の個々のデータと重畳した箇所の上記背景画像部分の透過率を上記一覧表示画面の個々のデータに応じて制御する透過率制御ステップ」、「表示制御方法」に相当する。
　したがって、本願発明と刊行物1に記載された発明の両者は、 以下の一致点で一致し、以下の相違点で相違する。
　
＜一致点＞
「記憶手段に記憶されている検索対象となる複数のデータを検索する検索ステップと、
　検索したデータを背景画像データに重畳し、この背景画像画面に検索したデータの一覧表示画面を重畳した重畳表示画面を表示手段に表示する表示ステップと、
　上記重畳表示画面において、上記一覧表示画面の個々のデータと重畳した箇所の上記背景画像部分の透過率を上記一覧表示画面の個々のデータに応じて制御する透過率制御ステップとを有する表示制御方法。」
　
＜相違点＞
　記憶手段に記憶されている検索対象となる複数のデータを検索する検索ステップにおいて、本願発明では、「検索キーワードによって検索する」のに対して、刊行物１に記載された発明においては、具体的にどのように検索しているのか明確でない点。
　
６　判断
　上記相違点について検討する。
  例えば、原査定の拒絶の理由で引用され、本願出願前に頒布された刊行物である特開２０００−２２２４１８号公報（以下、「刊行物２」という。）には、図面とともに次の事項が記載されている。
ア「【００２９】本発明によるデータベース検索システムの一実施形態における基本構成を図１に示す。本システムは基本的に、複数のデータベース（１…１’）、検索対象データベース入力装置（２）、優先度情報入力装置（３）、検索要求入力装置（４）、データベース検索装置（５）、データ表示装置（６）、およびデータベース限定装置（１３）の６つの装置から成る。
【００３０】本発明は計算機上に記録されている情報の検索に関するものである。検索対象となる情報はデータベース（１…１’）に記録される。また、データベース（１…１’）は記録する情報の種類に応じて複数存在するものとする。
【００３１】検索を行う際、先ずユーザは検索対象データベース入力装置（２）を用いて検索対象とするデータベースを１つ以上選択する。次に、優先度情報入力装置（３）を用いて、選択した各データベース毎に検索を行う際の優先度の情報を設定する。また、データベース限定装置（１３）を用いて検索対象として選択したデータベース（１）の情報を抽出する。次に、検索要求入力装置（４）を用いて、検索したい情報に関連のある単語や文章を検索要求として入力する。以上の情報を用いてシステムはデータベース検索装置（５）において、ユーザが入力した検索要求と関連性の高い情報を指定されたデータベースから抽出し、データ表示装置（６）に表示する。」
　
イ「【００３７】検索を行う際には先ずユーザは検索要求入力装置（４）を用いて、検索したい情報に関連のある単語や文章を検索要求として入力する。次に、検索要求優先度情報入力装置（９）を用いて各検索要求毎の優先度の情報を設定する。そして、検索対象データベース入力装置（２）を用いて検索対象とするデータベースを１つ以上選択し、次に、優先度情報入力装置（３）を用いて、選択した各データベースに検索を行う際の優先度の情報を設定する。また、データベース限定装置（１３）を用いて検索対象とするデータベース（１）の情報を抽出する。
【００３８】以上の情報を用いてシステムはデータベース検索装置（５）において、ユーザが入力した検索要求と関連性の高い情報を指定されたデータベースからいくつか抽出し、抽出した情報と、該情報と検索要求との関連性の情報を、抽出データ一覧表示装置（１０）に一覧表示する。そして、ユーザは上記の一覧表示を見て、必要な情報を表示データ指定装置（１１）で指定する。システムは上記指定結果を基に指定された情報をデータ表示装置（６）に表示する。」
　
ウ「【００７７】抽出データ一覧表示装置（１０）の処理について説明する。
【００７８】抽出データ一覧表示の一例を図２４に示す。表示画面は検索の対象として指定されたデータベースの数で分割される。それぞれの分割領域（２４０１）にはそのデータベース名を表示する（２４０２）。そして、抽出された情報のタイトルの一部を、それぞれの情報が記録されているデータベースの分割領域（２４０１）上に表示する（２４０３）。」
　
エ「【００８３】さらに、各情報のタイトルの表示に、該情報の空間ベクトルと、検索ベクトルとのなす角の値を反映する手段としては、図２４等のように、なす角の値に応じて表示色を変更することに加えて、図３０のようになす角の値が小さいほど情報の表示の大きさを大きくする方法や、なす角の値が大きいほど情報の表示の透明度を高める方法を用いることも可能である。
【００８４】以上の処理で検索結果の一覧表示を行うが、この際、図３１のように各データベースや検索キーワードの優先度の値を修正して、再度検索を行い、一覧表示の変化の状況や変化の度合いを確認しながら、検索結果の絞り込みを行うことも可能である。」
　
　上記記載によれば、複数のデータを検索し、その検索結果を表示する方法において、検索キーワードを用いて検索を行い、その結果を一覧表示するような技術は、周知の技術であると認められる。そして、上記刊行物１に記載された発明も、上記周知の技術も、共に検索結果の表示技術に関するものであることから、上記刊行物１に記載された発明において、具体的な検索のための技術として、上記周知の技術を採用することに特段の困難性はない。
　したがって、上記相違点に係る本願発明の発明特定事項は、刊行物１に記載された発明に上記周知の技術を適用することにより当業者が容易に想到し得た程度のものにすぎない。
　
　そして、本願発明の奏する作用効果も、刊行物１及び２に記載された事項から当業者が予測可能な範囲内のものである。
　したがって、本願発明は、刊行物１に記載された発明及び周知の技術に基づいて、当業者が容易に発明をすることができたものである。
　
７　むすび
　以上のとおりであるから、本件出願の請求項５に係る発明（本願発明）は特許法第２９条第２項の規定により特許を受けることができないものであり、その余の請求項１乃至４、６乃至８に係る発明についての判断を示すまでもなく、本件出願は、拒絶をすべきものである。
　よって、結論のとおり審決する。